(57)【要約】【課題】装置の小型化を図りつつ、表示装置の視認性を向上させることができる撮像装置を提供する。【解決手段】表示装置１０８を備えると共に、表示装置１０８上に表示補助装置２００を着脱可能なデジタルカメラは、以下の要素を備える。即ち、表示補助装置２００が装置本体１００に設置されたことを検出すると共に、表示装置１０８上のどの位置に設置されたかを検出する位置検出部１０８ａと、位置検出部１０８ａによって検出された位置に画像を縮小表示する表示制御部３０２とを備える。【選択図】図１７
2010212876.tif 000002
【特許請求の範囲】
【請求項１】
表示装置を備えると共に、前記表示装置上に表示補助装置を着脱可能な撮像装置であって、
前記表示補助装置が前記装置本体に設置されたことを検出すると共に、前記表示装置上のどの位置に設置されたかを検出する検出手段と、
前記検出手段によって検出された位置に画像を表示する表示制御手段と、
を備えることを特徴とする撮像装置。
【請求項２】
前記表示補助装置には前記表示装置上に接する突起部が形成され、前記検出手段は、前記突起部の位置を検出する光式検出センサ、あるいは感圧式検出センサ、あるいは抵抗膜式検出センサを含むことを特徴とする請求項１記載の撮像装置。
【請求項３】
前記表示制御手段は前記検出手段によって検出した前記突起部で囲まれる範囲内に画像を表示することを特徴とする請求項２に記載の撮像装置。
【請求項４】
前記表示制御手段は前記検出手段によって検出した前記突起部で囲まれる範囲外にも画像を表示することを特徴とする請求項２に記載の撮像装置。
【請求項５】
撮像装置の表示装置上に着脱可能な表示補助装置であって、
接眼側に配置される第１の窓部材と、
前記表示装置側に配置される第２の窓部材と、
前記表示装置上に接する突起部と、
を備えることを特徴とする表示補助装置。
【請求項６】
前記表示補助装置は、視度調節レンズを有することを特徴とする請求項５記載の表示補助装置。
【発明の詳細な説明】
【技術分野】
【０００１】
本発明は、撮像装置に関し、特に、表示装置の視認性を向上させる技術に特徴のある撮像装置に関する。
【背景技術】
【０００２】
近年、デジタルカメラ等の撮像装置において、その撮像状態を確認するための表示装置（液晶、有機ＥＬ等）の大型化がトレンドとなっている。表示装置を大型化する一方で、撮像装置自体の小型化も進んでいるので、スペース上の制約から、従来用いられてきた光学式ビューファインダを搭載しない製品も多く存在する。
【０００３】
しかし、光学式ビューファインダを搭載せずに、表示装置のみを備える撮像装置の構成であると、外光、特に直射日光下では、表示装置に外光が反射し、表示装置の視認性が下がってしまい、撮像（撮影）状態を確認し難くなるという問題があった。
【０００４】
そこで、特許文献１では、液晶モニタに表示された画像をビューファインダ画面に変換する光学ビューファインダフードを、液晶モニタの周囲を覆うように着脱自在に備える撮像装置を提供している。
【０００５】
これにより、外光下において液晶モニタの視認性が低下した場合でも、光学ビューファインダフードの装着により撮影者に良好な視認性を提供しようというものである。
【先行技術文献】
【特許文献】
【０００６】
【特許文献１】特開平１０−３２２５７５号公報
【発明の概要】
【発明が解決しようとする課題】
【０００７】
しかし上記従来技術では、撮像装置の表示装置全面をカバーするように、光学ビューファインダフードが形成されているので、フード自身のサイズも大きくなり、携帯性に乏しい。
【０００８】
また、フード内に液晶モニタに表示された画像を反射させるための反射鏡等を必要とするので構成が複雑になり、部品コスト、組立てコストも嵩んでしまうという問題があった。
【０００９】
本発明の目的は、装置の小型化を図りつつ、表示装置の視認性を向上させることができる撮像装置を提供することにある。
【課題を解決するための手段】
【００１０】
上記目的を達成するために、本発明の撮像装置は、表示装置を備えると共に、前記表示装置上に表示補助装置を着脱可能な撮像装置であって、前記表示補助装置が前記装置本体に設置されたことを検出すると共に、前記表示装置上のどの位置に設置されたかを検出する検出手段と、前記検出手段によって検出された位置に画像を表示する表示制御手段とを備えることを特徴とする。
【００１１】
また、本発明の表示補助装置は、撮像装置の表示装置上に着脱可能な表示補助装置であって、接眼側に配置される第１の窓部材と、前記表示装置側に配置される第２の窓部材と、前記表示装置上に接する突起部と、を備えることを特徴とする。
【発明の効果】
【００１２】
本発明の撮像装置によれば、装置の小型化を図りつつ、表示装置の視認性を向上させることができる。
【図面の簡単な説明】
【００１３】
【図１】本発明の実施の形態に係る撮像装置としてのデジタルカメラの正面図である。
【図２】図１のデジタルカメラの右側面図である。
【図３】図１のデジタルカメラの左側面図である。
【図４】図１のデジタルカメラの背面図である。
【図５】図１のデジタルカメラの上面図である。
【図６】図１のデジタルカメラの底面図である。
【図７】図１のデジタルカメラの正面斜視図である。
【図８】図１のデジタルカメラの背面斜視図である。
【図９】図１のデジタルカメラの電気的構成を示すブロック図である。
【図１０】図１のデジタルカメラに装着される表示補助装置の正面斜視図である。
【図１１】図１０の表示補助装置の背面斜視図である。
【図１２】図１０の表示補助装置の分解斜視図である。
【図１３】図１０の表示補助装置の側面断面図である。
【図１４】図４における表示装置の断面図である。
【図１５】図１０の表示補助装置をベルトによりデジタルカメラに装着する例を示す外観斜視図である。
【図１６】図１０の表示補助装置のデジタルカメラへの設置前後の状態を示す図である。
【図１７】図１６（ｂ）のＦ部の拡大図である（その１）。
【図１８】図１６（ｂ）のＦ部の拡大図である（その２）。
【図１９】図１６（ｂ）のＦ部の拡大図である（その３）。
【図２０】図１０の表示補助装置をデジタルカメラへ設置した状態での表示装置の使用形態の一例を示す図である。
【図２１】図１０の表示補助装置のデジタルカメラへの設置時の画像表示処理の手順を示すフローチャートである。
【図２２】図１０の表示補助装置がデジタルカメラに対してある角度傾いて設置された状態を示す図である。
【図２３】図１のデジタルカメラにおいて、撮影者の手により表示補助を行う様子を示す図である。
【発明を実施するための形態】
【００１４】
以下、本発明を図面を参照しながら詳細に説明する。
【００１５】
図１は、本発明の実施の形態に係る撮像装置としてのデジタルカメラの正面図、図２は、図１のデジタルカメラの右側面図、図３は、図１のデジタルカメラの左側面図、図４は、図１のデジタルカメラの背面図である。
【００１６】
また、図５は、図１のデジタルカメラの上面図、図６は、図１のデジタルカメラの底面図、図７は、図１のデジタルカメラの正面斜視図、図８は、図１のデジタルカメラの背面斜視図である。
【００１７】
デジタルカメラの装置本体１００は、撮影光学系を構成している鏡筒１０１、前カバー１０２、ストロボ１０３、ＡＦ補助光窓１０４を備えている。
【００１８】
端子カバー１０５は、硬質プリント基板あるいはフレキシブルプリント基板上に実装された端子類を保護するものである。本実施の形態では、端子として、テレビ受信機等の外部映像デバイスに接続するためのアナログビデオ端子、外部直流電源に接続するための電源端子、ＰＣ等に接続するためのデジタル端子のうち少なくとも１つまたは複数を備えるものとする。
【００１９】
ストラップリング１０６は、ストラップ紐を通すための孔を備えている。装置本体１００の背面には、後カバー１０７が外装される。表示装置１０８は、撮影画像の確認、再生、撮影条件等の各種情報を表示する。
【００２０】
操作部材１０９は、時計・反時計回りに回動可能で。且つ、上下左右４箇所に対し押し込み操作が可能なダイヤルと、その周囲のボタンから構成されている。
【００２１】
ズームレバー１１０は、光学式変倍機能あるいはデジタル式変倍機能において、その倍率を調節操作するためのものであり、レリーズボタン１１１の中心に回動可能に備えられている。
【００２２】
レリーズボタン１１１は、撮影準備及び撮影開始機能を備えた操作部材である。パワーボタン１１２は、装置本体１００の電源のＯＮ／ＯＦＦを行う。モード切り替えレバー１１３は、撮影モードと再生モードの切り替えを行う。
【００２３】
上カバー１１４は、ズームレバー１１０、レリーズボタン１１１、パワーボタン１１２、モード切り替えレバー１１３を保持する。電池蓋１１５は、装置本体１００に対し、スライド及び回動動作が可能である。三脚穴１１６は、三脚台に固定するために備えられている。
【００２４】
図９は、図１のデジタルカメラの電気的構成を示すブロック図である。
【００２５】
ＣＰＵ３１６は、デジタルカメラ全体を制御するものであり、ＣＰＵ３１６に備えられた制御プログラムに基づき各部を制御する。
【００２６】
この制御プログラムは、ＣＰＵ３１６に接続されたフラッシュメモリ３１８に記憶されている。ＳＤＲＡＭ３１７は、ＣＰＵ３１６のワーキングエリアで、書き替え可能なデータがシーケンスに従い、随時記録（記憶）され、読み出されている。
【００２７】
光学系３１０を通ってＣＣＤ（撮像素子）３１１に取り込まれた被写体像は、ＣＣＤ制御部３１３により光信号から電気信号に変換され、アナログ信号として出力される。
【００２８】
そして、この信号は、ノイズがＣＤＳ（相関二重サンプリング回路）により除去され、更にＡＧＣ（自動利得制御回路）によって増幅された後、Ａ／Ｄ変換器３１２によってアナログ信号からデジタル信号に変換される。
【００２９】
デジタル信号は、ＣＰＵ３１６に出力され、圧縮等の画像処理が施されてから、記録媒体Ｉ／Ｆ３１５を介して、記録媒体に撮影データとして保存される。
【００３０】
表示装置１０８には、位置検出部１０８ａと傾度通知部１０８ｂが備えられており、位置検出部１０８ａにより出力された検出信号は、入力信号処理部３２１を経由してＣＰＵ３１６に入力されて各種処理が実行される。
【００３１】
処理された信号は、表示制御部３０２を経由し、Ｄ／Ａ変換器３２０によりデジタル信号からアナログ信号に変換された後、表示装置１０８に出力される。
【００３２】
通信用Ｉ／Ｆ３１９は、外部電子機器であるところの、例えば、ＰＣと通信可能に接続するためのＵＳＢ規格に準拠したインターフェースである。記録媒体Ｉ／Ｆ３１５は、記録媒体への画像データの書き込み及び画像データの読み出しを行うためのインターフェースである。
【００３３】
ＥＦ制御部３２３は、ＣＰＵ３１６の制御信号に基づき、ストロボ１０３の発光の有無・発光量・発光タイミング等を制御する。
【００３４】
また、装置本体１００は、光学系制御部３１４、調光制御部３２２、姿勢検出部３０３を備える。
【００３５】
図１０は、図１のデジタルカメラに装着される表示補助装置の正面斜視図、図１１は、図１０の表示補助装置の背面斜視図、図１２は、図１０の表示補助装置の分解斜視図、図１３は、図１０の表示補助装置の側面断面図である。また、図１４は、図４における表示装置の断面図である。
【００３６】
装置本体１００に対して着脱可能な表示補助装置２００の構成を説明する。
【００３７】
筐体であるところのケース部材２０１は、不図示の複数の部材から構成されている。第１の窓部材２０３は接眼側に備えられる、第２の窓部材２０４は、装置本体１００側（表示装置側）に備えられ、共にケース部材２０１に保持されている。
【００３８】
第１の窓部材２０３は、第２の窓部材２０４と対向するように配設されており、第１の窓部材２０３と第２の窓部材２０４の間に、視度調節レンズ２０５が備えられている。
【００３９】
視度調節レンズ２０５は、ケース部材２０１に対して光軸方向に移動可能に保持されている視度調節レバー２０２を介して、撮影者の操作によりその位置を所望の箇所へ変更できるようになっている。
【００４０】
視度調レンズ２０５から延設されている腕部２０５ａが、視度調節レバー２０２に設けられている２箇所の爪部２０２ａに挟持されており、これにより、視度調レンズ２０５と視度調節レバー２０２が光軸方向に一体的に動く構成である。
【００４１】
ケース部材２０１に一体形成された半球状の突起部２０１ａは、本実施の形態では、ケース部材２０１の表示装置１０８側の４隅に対応する位置に４箇設けられている。
【００４２】
ここで、表示装置１０８には、位置検出部１０８ａであるところの光式検出センサ３０１ａあるいは感圧式検出センサ３０１ｂあるいは抵抗膜式検出センサ３０１ｃ等が備えられている（後述する図２１参照）。
【００４３】
位置検出部１０８ａは、表示補助装置２００が装置本体１００に設置されたことを検出すると共に、表示装置上のどの位置に設置されたかを検出する検出手段として機能する。
【００４４】
光検出式センサ３０１ａは、表示装置１０８の各表示素子（画素）に対応するようにフォトトランジスタを形成したものである。表示装置１０８に表示補助装置２００を設置することによりできる陰影を、フォトトランジスタが読み出し、表示補助装置２００の設置位置を判別（検出）する。
【００４５】
感圧式センサ３０１ｂは、表示装置１０８の背面側に、複数の歪み検出部であるところの感圧電極を配設したものである。表示補助装置２００に備えられている突起部２０１ａにより表示装置１０８へ力が加えられると、電極部の圧力値（接触抵抗値）が変化し、これにより力の加わった位置を判別する。
【００４６】
抵抗膜式センサ３０１ｃは、表示装置１０８の表示面側に、対となるような透明導電膜を設けたものである。表示装置１０８に表示補助装置２００が設置されると、突起部２０１ａにより透明導電膜同士が接触し抵抗値が変化する。これにより、表示補助装置２００の設置位置を判別する。
【００４７】
磁性部材２０６は、ケース部材２０１に保持されている。金属部材１１７は、装置本体１００の内部部材を保持するメインフレームであり、表示装置１０８の直下（真裏）に配設されている。
【００４８】
本実施の形態では、表示補助装置２００を装置本体１００に保持する手段として、表示補助装置２００に備えられている磁性部材２０６と装置本体１００側に備えられている金属部材１１７の磁力を用いる。
【００４９】
表示補助装置２００を装置本体１００に設置・保持する他の手段としては、例えば、不図示の吸盤に代表される吸着部材をケース部材２０１に保持しておき、該吸着部材を装置本体１００側の表示装置１００に吸着させる手段がある。
【００５０】
図１５は、図１０の表示補助装置をベルトによりデジタルカメラに装着する例を示す外観斜視図である。
【００５１】
図１５に示すように、表示補助装置２００を弾性のあるベルト４００により装置本体１００に装着することもできる。
【００５２】
また、装置本体１００は、その撮影姿勢を判別するためのジャイロ等の上記姿勢検出部３０３を備えている。表示補助装置２００の装置本体１００への設置の有無に関わらず、姿勢検出部３０３の出力結果に基づき、表示装置１０８へ画像表示を行う。
【００５３】
図１６は、図１０の表示補助装置のデジタルカメラへの設置前後の状態を示す図、図１７は、図１６（ｂ）のＦ部の拡大図（その１）、図１８は、図１６（ｂ）のＦ部の拡大図（その２）、図１９は、図１６（ｂ）のＦ部の拡大図（その３）である。また、図２０は、図１０の表示補助装置をデジタルカメラへ設置した状態での表示装置の使用形態の一例を示す図である。
【００５４】
通常使用時、即ち、表示補助装置２００をデジタルカメラに設置しない状態では、図１６（ａ）のように、装置本体１００の表示装置１０８全面に撮影及び再生画像、撮影に関する各種設定情報等が表示される。
【００５５】
外光等による影響が少なく、良好な視認性が確保できている状態であれば、撮影者は、表示装置１０８を用い、違和感なく撮影動作を行うことができる。
【００５６】
一方、外光、特に、直射日光下等、表示装置１０８に外光が反射し、表示装置１０８の視認性が下がってしまうと、撮影者のスムーズな撮影動作を妨げることとなってしまう。
【００５７】
そこで、図１６（ｂ）に示すように、表示装置１０８上の所望の位置に表示補助装置２００を設置すると、表示装置１０８に備えられている位置検出部１０８ａが表示補助装置２００の設置位置を検出し、その検出結果に基づいて縮小画像を出力する。即ち、位置検出部１０８ａで囲まれる範囲内に画像を縮小して表示している。
【００５８】
図２１は、図１０の表示補助装置のデジタルカメラへの設置時の画像表示処理の手順を示すフローチャートである。
【００５９】
本処理は、図９のＣＰＵ３１６の制御の下に実行される。
【００６０】
まず、ステップＳ１０１で、ＣＰＵ３１６は、装置本体１００の背面側に備えられた不図示の受光センサにより外光の輝度を検出（画像の輝度を確認）する。
【００６１】
ステップＳ１０２で、ＣＰＵ３１６は、検出された輝度がフラッシュメモリ３１８に予め記憶されている所定値を超えると判別した場合、ステップＳ１０３で、表示装置１０８上に、表示補助装置２００を設置するかどうかを確認する処理選択画面を表示する。
【００６２】
表示補助装置２００を設置することを撮影者が選択した場合、ステップＳ１０４で、ＣＰＵ３１６は、その指令を判断し、ステップＳ１０５で、設置動作を行わせる。
【００６３】
ステップＳ１０６で、ＣＰＵ３１６は、位置検出部１０８ａにより、表示補助装置２００の設置位置を検出し、ステップＳ１０７で、表示補助装置２００が設置されたことによる輝度差を読み取る。
【００６４】
ここで、前述したように、位置検出部１０８ａは、光式検出センサ３０１ａあるいは感圧式検出センサ３０１ｂあるいは抵抗膜式検出センサ３０１ｃである。
【００６５】
ステップＳ１０８で、ＣＰＵ３１６は、読み出した信号をもとに、縮小画像サイズを定義可能と判断すると、ステップＳ１０９で、表示制御部３０２により表示装置１０８上に縮小画像を表示する。そして、ステップＳ１１０で、ＣＰＵ３１６は、視度調節を行い、本処理を終了する。
【００６６】
本実施の形態では、出力される縮小画像サイズを決定する手段として、ケース部材２０１に一体形成された半球状の突起部２０１ａを用いている。
【００６７】
この４箇所の突起部２０１ａが、表示装置１０８に接地すると、位置検出部１０８ａがこの４箇所のポイントを検出し、図１７に示すように、この４点から定義される矩形の範囲内（範囲Ａ）に収まるように画像を縮小表示する。また、範囲Ａには、図１８に示すように、撮影に関する各種設定情報を表示してもよい。
【００６８】
表示装置１０８上の範囲Ａ以外の残りのエリア（範囲Ｂ）については、例えば、以下のような表示制御を適用できる。つまり、位置検出部１０８ａに囲まれる範囲外にも画像を表示している。
【００６９】
まず、範囲Ｂ全面をブラックアウトさせる表示制御である。この表示制御は、消費電力を低減したいときに有効である。
【００７０】
次に、図１９に示すように、撮影に関する各種設定情報を、範囲Ａ内ではなく、範囲Ｂ上で且つ表示補助装置２００の周辺近傍に表示させる制御である。この表示制御は、範囲Ａ内では、各種設定情報が小さいがために良好な視認性が確保できない場合に有効である。
【００７１】
範囲Ｂ内に表示させる各種設定情報は、範囲Ａ内に表示される各種設定情報と比較して、そのサイズを大きくしてもよいし、表示させる情報数を増やすこともできる。また、各種設定情報を、表示補助装置２００の周辺近傍のうち上下左右どの位置に配置するかは、撮影者が予め設定しておくことができる。
【００７２】
そして、図２０に示すように、範囲Ｂにも画像を表示させる表示制御もある。これにより、表示補助装置２００を設置した状態で、表示装置１０８の視認性が回復してきた場合等に、表示補助装置２００を取り外すことなく、速やかに表示装置１０８を用いる撮影動作に移行することができる。
【００７３】
図２２は、図１０の表示補助装置がデジタルカメラに対してある角度傾いて設置された状態を示す図である。
【００７４】
このように、撮影者が意図せずに、表示補助装置２００を装置本体１００に対して斜めに取り付けてしまった場合は、以下のように対処する。
【００７５】
即ち、位置検出部１０８ａの検出結果に基づき、縮小表示された画像枠内に、装置本体１００に対して水平・垂直方向に、傾度通知部１０８ｂであるところのグリッドラインを表示する。
【００７６】
本実施の形態では、装置本体１００に対する表示補助装置２００の傾度が所定値以上になると、傾度通知部１０８ｂを作動させる構成をとっている。また、傾度通知部１０８ｂの作動の有無は、撮影者が任意に選択できるものである。
【００７７】
更に、上述のように、装置本体１００に対して、水平・垂直方向にグリッドラインを表示するか、あるいは、表示補助装置２００に対して水平・垂直方向にグリッドラインを表示するか等も撮影者が適宜選択できるものである。
【００７８】
図２３は、図１のデジタルカメラにおいて、撮影者の手により表示補助を行う様子を示す図である。
【００７９】
撮影者の手を利用して表示補助を行う場合、光式検出センサ３０１ａにより、影者が表示装置１０８上のどの位置に手を置いたかを判別し、その判別結果に基づき、表示装置１０８上の手が置かれていないエリアに画像を縮小表示する。表示縮小サイズ及び縮小画像の表示位置は、撮影者が任意に設定できるものとする。
【符号の説明】
【００８０】
１０１  鏡筒
１０２  前カバー
１０３  ストロボ
１０４  ＡＦ補助光窓
１０８  表示装置
１０８ａ  位置検出部
１０８ｂ  傾度通知部
１０９  操作部材
１１７  金属部材
２００  表示補助装置
２０１  ケース部材
２０６  磁性部材
３０１ａ  光式検出センサ
３０１ｂ  感圧式検出センサ
３０１ｃ  抵抗膜式検出センサ
３０２  表示制御部
３０３  姿勢検出部
【図１】
2010212876.tif 000003
【図２】
2010212876.tif 000004
【図３】
2010212876.tif 000005
【図４】
2010212876.tif 000006
【図５】
2010212876.tif 000007
【図６】
2010212876.tif 000008
【図７】
2010212876.tif 000009
【図８】
2010212876.tif 000010
【図９】
2010212876.tif 000011
【図１０】
2010212876.tif 000012
【図１１】
2010212876.tif 000013
【図１２】
2010212876.tif 000014
【図１３】
2010212876.tif 000015
【図１４】
2010212876.tif 000016
【図１５】
2010212876.tif 000017
【図１６】
2010212876.tif 000018
【図１７】
2010212876.tif 000019
【図１８】
2010212876.tif 000020
【図１９】
2010212876.tif 000021
【図２０】
2010212876.tif 000022
【図２１】
2010212876.tif 000023
【図２２】
2010212876.tif 000024
【図２３】
2010212876.tif 000025